(57)【要約】 【課題】ビニール温室の被覆シートの巻き軸を止めた位置で通風用の隙間を設ける換気補助構造を提供する。【解決手段】  ビニール温室の被覆シートの下方部分を巻き軸に巻き込んで開口部を形成し又は同開口部を閉鎖する換気装置において、ビニール温室を構成する骨組みパイプの開口部位の巻き軸を止めるべき位置へ換気補助具が取り付けられる。同換気補助具は、骨組みパイプへ取り付け取り外し可能なパイプ掴み部と、パイプ掴み部から一定の寸法突き出された巻き軸支持部とを備える。【選択図】          図１
2005040076.tif 000002
【特許請求の範囲】
【請求項１】
ビニール温室の被覆シートの下方部分を巻き軸に巻き込んで成り、この巻き軸を正・逆方向に回転して開口部を形成し又は同開口部を閉鎖する換気装置において、
ビニール温室を構成する骨組みパイプの前記開口部位であって、前記巻き軸を止めるべき位置へ換気補助具を取り付けて成り、
前記換気補助具は、前記骨組みパイプへ取り付け取り外し可能なパイプ掴み部と、前記パイプ掴み部から一定の寸法突き出された巻き軸支持部とを備え、
前記パイプ掴み部は骨組みパイプに対する回転及び上下方向への移動が自在に構成されていることを特徴とする、ビニール温室の換気補助構造。
【請求項２】
前記パイプ掴み部は、ほぼコ字形に形成した弾性な線材の両端部を、前記骨組みパイプを１８０°よりも少し大きな円弧で掴み、且つ開放部を有するＣ字形状に形成されており、前記開放部を通じて骨組みパイプに対する取り付け取り外しが可能に構成されていることを特徴とする、請求項１に記載したビニール温室の換気補助構造。
【請求項３】
弾性な線材をほぼコ字形に形成して成る換気補助具は、パイプ掴み部の側が広幅で、巻き軸支持部の側が狭幅に形成されており、前記広幅側を握ることで前記パイプ掴み部を骨組みパイプから緩め、同骨組みパイプに対する取り付け取り外し又は上下方向への移動が自在に行われることを特徴とする、請求項２に記載したビニール温室の換気補助構造。
【請求項４】
前記巻き軸支持部には、合成樹脂製保護材を被せていることを特徴とする、請求項１〜３のいずれか一に記載したビニール温室の換気補助構造。
【発明の詳細な説明】
【技術分野】
【０００１】
この発明は、ビニール温室の被覆シート（ビニールシートの限りではなく、ポリエチレンシートその他材質のシートを含む。）の下方部分を巻き軸に巻き込んで成り、同巻き軸を正・逆方向に回転して開口部を形成し又は同開口部を閉鎖する換気装置において、巻き軸を止めた位置で通風用の隙間を設ける換気補助具を取り付けた換気補助構造の技術分野に属する。
【背景技術】
【０００２】
従来、温室による各種作物の栽培においては、室内の温度調節や新鮮な外気を取り入れるために、温室の側面又は屋根面等に換気開口部を設けている。その一例として図１１に示した換気装置は、ビニール温室１の被覆シート３の下方部分を巻き軸４に巻き込み、同巻き軸４を回転器１１により正・逆方向に回転することにより、被覆シート３を巻き上げて開口部２を形成し、又は同被覆シート３を巻き下ろして前記開口部２を閉鎖する構成である（特許文献１）。前記回転器１１には、例えば、特開２００２−１１２６３９に開示されているように、地中に突き刺して立てた支柱パイプ１２を伝って上下方向へ移動し、且つ回転の反力をとり、ハンドル１８で入力軸を正・逆方向へ自由に回転できるが、同ハンドル１８を止めた位置で巻き軸４の回転を即座に強固に止める構成のものが使用されている。
【０００３】
しかし、上記図１１の換気装置の場合は、降雨時に、降雨が前記開口部２から温室内に浸入し、近辺の作物に根腐れや発病等の被害を及ぼすおそれがある。そのため、降雨時には前記開口部２を前記被覆シート３で完全に閉鎖した状態にするのが通例である。
【０００４】
特許文献２には、巻き軸の動力源として小型モータを用意し、温度センサー、降雨センサーの検出信号に基いて小型モータを自動制御し、巻き軸を正・逆方向に回転して開口部を形成し又は同開口部を閉鎖する換気装置が開示されている。降雨時には自動的に巻き軸が巻き下ろされ、開口部を閉鎖する仕組みであるが、温室内外の環境条件を調節することで、降雨時でも前記開口部を形成して通風換気に供することができると説明されている。
【０００５】
特許文献３には、上記換気装置で形成する開口部の上方位置に常設の庇部材を取り付け、降雨時でも雨の影響を受けることなく、前記開口部を通じて換気が行える換気補助構造が開示されている。庇部材が開口部を通じて温室内へ降雨が降り込むことを防止するからである。
【特許文献１】特開２００３−１４３９７３号公報
【特許文献２】特開平８−７０７１０号公報
【特許文献３】特開平１０−３３０６６号公報
【発明の開示】
【発明が解決しようとする課題】
【０００６】
上記特許文献１又は特許文献２の換気装置は、降雨による各種作物の被害を防ぐため、降雨時には前記開口部を完全に閉鎖する。しかし、ビニール温室の開口部が完全に閉鎖された状態では、温室内の温度調節や新鮮な外気を取り入れることができない。このような状況が長く続けば、室内がむれて作物に病気が発生する等の問題が起こる。そこで従来では、開口部の全開位置まで下ろした巻き軸と温室の骨組みとの間に、手ごろな介物を挟み込んで隙間を作り、少しでも通風換気ができるようにもしている。
【０００７】
上記特許文献３に開示された庇部材の使用は一案であるが、この庇部材は、鋼板の曲げ加工あるいはアルミニウム押し出し成形法等でシート止め材等と一体に作らており、必要に応じて取り付けたり取り外すことになじまない。晴天時でも庇部材は取り付けたままの状態になるので、この庇部材が太陽光に対して日陰を作ることになり、ビニール温室の採光効果を減少させるという問題がある。
【０００８】
本発明の目的は、巻き軸を止めた位置で通風用の隙間を確実に設けることができ、降雨による各種作物の被害を防ぎつつ通風用の隙間から換気が行える、ビニール温室の換気補助構造を提供することである。
【０００９】
本発明の次の目的は、構造が簡単で安価であり、ビニール温室の栽培効果を妨げない構造である、ビニール温室の換気補助構造を提供することである。
【課題を解決するための手段】
【００１０】
上記従来技術の課題を解決するための手段として、請求項１に記載した発明に係るビニール温室１の換気補助構造は、
ビニール温室１の被覆シート３の下方部分を巻き軸４に巻き込んで成り、この巻き軸４を正・逆方向に回転して開口部２を形成し又は同開口部２を閉鎖する換気装置において、
ビニール温室１を構成する骨組みパイプ５の前記開口部位２であって、前記巻き軸４を止めるべき位置へ換気補助具６を取り付けて成り、
前記換気補助具６は、前記骨組みパイプ５へ取り付け取り外し可能なパイプ掴み部７又は１６又は２１と、前記パイプ掴み部７又は１６又は２１から一定の寸法突き出された巻き軸支持部８又は１７又は２３とを備え、
前記パイプ掴み部７又は１６又は２１は骨組みパイプ５に対する回転及び上下方向への移動が自在に構成されていることを特徴とする。
【００１１】
請求項２に記載した発明は、請求項１に記載したビニール温室１の換気補助構造において、
前記パイプ掴み部７又は１６又は２１は、ほぼコ字形に形成した弾性な線材の両端部を、前記骨組みパイプ５を１８０°よりも少し大きな円弧で掴み、且つ開放部９を有するＣ字形状に形成されており、前記開放部９を通じて骨組みパイプ５に対する取り付け取り外しが可能に構成されていることを特徴とする。
【００１２】
請求項３に記載した発明は、請求項２に記載したビニール温室１の換気補助構造において、
弾性な線材をほぼコ字形に形成して成る換気補助具６は、パイプ掴み部７又は１６又は２１の側が広幅で、巻き軸支持部８又は１７又は２３の側が狭幅に形成されており、前記広幅側を握ることで前記パイプ掴み部７又は１６又は２１を骨組みパイプ５から緩め、同骨組みパイプ５に対する取り付け取り外し又は上下方向への移動が自在に行われることを特徴とする。
【００１３】
請求項４に記載した発明は、請求項１〜３のいずれか一に記載したビニール温室１の換気補助構造において、
巻き軸支持部８又は１７又は２３には、合成樹脂製の保護材１０又は２２を被せていることを特徴とする。
【発明の効果】
【００１４】
請求項１〜４に記載した発明に係るビニール温室１の換気補助構造によれば、被覆シート３の巻き軸４を止める位置（閉鎖位置）に換気補助具６を取り付けているから、通風隙間を確実に設けることができ、降雨時にも前記通風隙間から新鮮外気を流通させて換気が十分に行える。換気補助具６は、骨組みパイプ５に対する取り付けや取り外しが容易であるほか、骨組みパイプ５に沿う上下方向への移動や回転なども容易であるため、状況の変化に応じた使い分けが容易であり、ビニール温室の栽培効果の向上に大きく寄与するのである。
【発明を実施するための最良の形態】
【００１５】
ビニール温室１の開口部２を開閉する巻き軸４をその停止位置において支持し、通風用の隙間を設ける換気補助具６を、ビニール温室１の骨組みパイプ５へ必要数取り付ける。
【実施例１】
【００１６】
図１は、上記図１１のような換気装置を備えるビニール温室１の骨組みパイプ５のうち、巻き軸４が被覆シート３を巻き上げて形成する開口部２に露出される部分であって、巻き軸４が被覆シート３を巻き下ろして止まる閉鎖位置Ａ又はＢへ換気補助具６を取り付けた換気補助構造の実施例を示している。位置Ａは開口部２の下縁となるシート止め具１３の直上位置であるが、換気補助具６が巻き軸４を骨組みパイプ５の外方へかなり突き出した位置に支持するので、必要十分な量の通風Ｄが出入りする隙間を形成できる。位置Ｂは、前記位置Ａよりはかなり上方の位置であるが、同位置Ｂの換気補助具６に支持された巻き軸４は、降雨Ｃを前記開口部２の下縁となるシート止め具１３よりも内側へは降り込ませないだけの高さ位置であり、一層大きな通風隙間を形成できる。前記のように換気補助具６は長い巻き軸４を支持するためのものであるから、図１１のようにビニール温室１の長手方向に林立する骨組みパイプ５…の１本おきとか複数本おきの配置で必要数が取り付けられる。
【００１７】
図２に例示した換気補助具６は、直径２ｍｍ程度の弾性な鋼線を全体として横向きコ字形状に曲げ加工して成るもので、前記骨組みパイプ５へ取り付けたり取り外したりすることが可能な両端のパイプ掴み部７、７と、前記両端のパイプ掴み部７、７から一定の寸法（例えば約１５０ｍｍ程度）だけ前方へ突き出された巻き軸支持部８とで構成されている。
【００１８】
前記パイプ掴み部７は、平面的に見ると、弾性な線材の両端部を、骨組みパイプ５を１８０°よりも少し大きな円弧で掴み、且つ開放部９を有するＣ字形状に形成されている。前記Ｃ字形状に形成された両端のパイプ掴み部７、７を開放部９を通じて骨組みパイプ５へ嵌め込むと、弾性な線材で形成したコ字形状の換気補助具６の自由端側（パイプ掴み部７側）の間隔が拡がる弾性作用との相乗効果で骨組みパイプ５をしっかりと掴み固定される。
【００１９】
巻き軸支持部８は、被覆シート３を巻き戻しつつ下降してきた巻き軸４の外周に巻かれた被覆シート３を傷つけないように支持するように、側面から見て、シートを巻き込んだ巻き軸４の外周に沿うＪ字形状（図２参照）に形成されている。
【００２０】
この換気補助具６は、両端のパイプ掴み部７、７の側が広幅で、前記巻き軸支持部８の側が若干狭幅のコ字形に形成されているから、広幅側を握り締めることで、パイプ掴み部７を骨組みパイプ５へ簡単に取り付け取り外すことができる。また、骨組みパイプ５へ取り付けた換気補助具６は、両端のパイプ掴み部７、７の側を少し強く握り締めることにより、骨組みパイプ５への掴み状態を緩めて、図１又は図３に実線で示す位置Ａから位置Ｂへと高さを自在に移動させることが可能である。よって、降雨時における通風隙間の大きさを必要に応じて変化させることが容易にできる。また、晴天時などで換気補助具６の必要がないときは、図３に示すように約１８０°回転してビニール温室１の内側位置Ｆへ退避させておくこともでき便利である。勿論、細い線材で形成した換気補助具６は、太陽光を遮り日陰を作ることもない。必要に応じて取り付け、無用なときは取り外して収納することにも適する。
【実施例２】
【００２１】
図４は、上記した換気補助具６において、図２で示したパイプ掴み部７、７の形状を、骨組みパイプ５の軸に対して一定の角度傾斜したＣ字形状（又は螺旋形状）に形成した例を示す。この螺旋形状を成すパイプ掴み部２１、２１は、前記傾斜した角度分だけ内径が実質大きく形成されているので骨組みパイプ５の外径が約３ｍｍ程度（例えば骨組みパイプ５の外径が１９ｍｍ〜２２ｍｍ又は２２ｍｍ〜２５ｍｍの範囲）で変化しても有効に使用することが可能であり便利である。
【実施例３】
【００２２】
図５−Ａは、上記した換気補助具６における一方のパイプ掴み部７から巻き軸支持部８とは正反対方向へ延長腕２４を延ばし、その延長腕２４の先端に形成したリング部２０に、金属線材による連接棒１９を連結して、温室の棟方向に複数設置された各換気補助具６…を順次鎖状に一連に連結した実施例を示している。かくすると、一つのビニール温室１において、共通の巻き軸４を支持する各換気補助具６…は、一箇所の連接棒１９を矢印Ｅ方向へ引っ張ることにより、一連の各換気補助具６…を同時に等しく骨組みパイプ５を中心に一定方向へ回転でき、図３の実線位置Ａから点線位置Ｆへと約１８０°回転して出し入れできる。よって作業者がいちいち温室１の全長にわたり棟方向へ歩いて各換気補助具６…を出し入れ操作する面倒を省くことができ、便利である。
或いは図５−Ｂに示すように、温室の両端部に設置した滑車３１と３２の間に繊維製、樹脂製等の紐やロープ又は針金状のワイヤー３３をエンドレス状に巻き掛けると共に、同ワイヤー３３の途中位置を、各換気補助具６…のリング部２０へ巻き付ける等して連結した構成でも、同様に実施することができる。                    
【実施例４】
【００２３】
図６は、上記換気補助具６の巻き軸支持部８に、巻き軸４に巻かれたシート３を換気補助具６との接触による損傷から保護する合成樹脂製の保護材１０を被せた実施例を示している。この保護材１０の形成法としては、例えば合成樹脂粉末を収容した流動槽内部へ、換気補助具６の巻き軸支持部８を加熱し挿入して樹脂粉末を付着させる、所謂流動処理法で成形されたものが好適である。或いは別途成形した合成樹脂チューブをゆるく被せた構成で実施することもできる。
【実施例５】
【００２４】
図７は、上記巻き軸支持部８の保護材の異なる形態として、合成樹脂製のキャップ２２を被せた実施例を示している。合成樹脂製のキャップ２２は、図８に展開図を示したように、薄肉ヒンジ１４を利用して巻き軸支持部８へ被せる構造で成形され、下孔１５の位置を例えばカシメ等で止着される。
【実施例６】
【００２５】
図９は、換気補助具６の巻き軸支持部２３が、上側のパイプ掴み部７の付け根から斜め前方へ片傾斜状態に下ろされ、三角形の斜辺の如くに形成された実施例を示している。この換気補助具６は、巻き軸４が巻き下ろされる際、巻き軸支持部２３に沿って滑らかに移動する利点がある。
【実施例７】
【００２６】
換気補助具６は、鋼線を加工した上記構造のものに限らない。合成樹脂線材の加工品でもよい。例えば図１０に示すように、ビニール温室１の骨組みパイプ５に取り付けるパイプ掴み部１６と、被覆シート３の巻き軸４を支持する巻き軸支持部１７とを合成樹脂の板状成形品として製作したものでもよい。
【図面の簡単な説明】
【００２７】
【図１】本発明の実施例を示す要部の側面図である。
【図２】換気補助具と骨組みパイプの関係を示す分解図である。
【図３】ビニール温室の骨組みパイプに対する換気補助具の使用状態の変化を示す説明図である。
【図４】換気補助具の異なる実施例を示す側面図である。
【図５−Ａ】換気補助具を一連に動かす実施例を示す説明図である。
【図５−Ｂ】換気補助具を一連に動かす他の実施例を示す説明図である。
【図６】換気補助具に保護材を被せた実施例を示す側面図である。
【図７】異なる保護材を被せた実施例を示す側面図である。
【図８】前記保護材の展開図である。
【図９】換気補助具の異なる実施例を示す側面図である。
【図１０】換気補助具の異なる実施例を示す側面図である。
【図１１】換気装置を備えたビニール温室の斜視図である。
【符号の説明】
【００２８】
１    ビニール温室
２    開口部
３    被覆シート
４    巻き軸
５    骨組みパイプ
６    換気補助具
７、１６、２１    パイプ掴み部
８、１７、２３    巻き軸支持部
９    開放部
１０、２２  保護材
【図１】
2005040076.tif 000003
【図２】
2005040076.tif 000004
【図３】
2005040076.tif 000005
【図４】
2005040076.tif 000006
【図５−Ａ】
2005040076.tif 000007
【図５−Ｂ】
2005040076.tif 000008
【図６】
2005040076.tif 000009
【図７】
2005040076.tif 000010
【図８】
2005040076.tif 000011
【図９】
2005040076.tif 000012
【図１０】
2005040076.tif 000013
【図１１】
2005040076.tif 000014